(57)【要約】【課題】運搬時などにおける穂先の損傷を有効に防止できる釣り竿の穂先用保護具を提供する。【解決手段】釣り竿Ｆの穂先Ｍの先端側を被うための筒状の保護カバー１の一端開口１ａに取り外し可能に圧入される弾性キャップ２に、圧入方向の先端面２ｄから後端面２ｅまで貫通して前記穂先Ｍに対して弾性的に嵌合する保持孔２１を形成し、弾性キャップ２の外周面２ｆに、穂先Ｍの保持孔２１への嵌入を許容するすり割り部２２を前記先端面２ｄから後端面２ｅまで縦断して形成する。【選択図】        図１
2004329027.tif 000002
【特許請求の範囲】
【請求項１】
釣り竿の穂先の先端側を被うための筒状の保護カバーと、前記保護カバーの一端開口に取り外し可能に圧入されて、該保護カバー内の穂先を保持させる弾性キャップとから構成され、
前記弾性キャップには、圧入方向の先端面から後端面まで貫通して前記穂先に対して弾性的に嵌合する保持孔が形成され、
前記弾性キャップの外周面には、穂先の保持孔への嵌入を許容するすり割り部が前記先端面から後端面まで縦断して形成されていることを特徴とする釣り竿の穂先用保護具。
【発明の詳細な説明】
【０００１】
【発明の属する技術分野】
この発明は、ルアー竿などの非振り出し式の竿に適用される釣り竿の穂先用保護具に関する。
【０００２】
【従来の技術】
一般に、振り出し式の釣り竿は、不使用時に、元竿側に順次収縮して収容できるようになっている構造上、収縮させておけば、例えば運搬時などに穂先を傷めるおそれが少なく、穂先自体に対する特別な保護具を必要としない。
【０００３】
これに対して、元竿の先端に穂先の基端を差し込んで使用するルアー竿のような非振り出し式の釣り竿では、穂先を元竿に収容できないので、例えば運搬時などに穂先を傷めるおそれがある。
【０００４】
ところで、従来、釣り竿を保護するための用具として、振り出し式の釣り竿における径小側の竿材が挿通可能な可撓性キャップを元竿の先端開口に圧入することにより、竿の収縮状態において、径小側の竿材のガイドによる元竿側の先端開口への衝撃を前記キャップで吸収させるものが提案されている（例えば、特許文献１参照）。
【０００５】
また、非振り出し式の釣り竿において、道糸が穂先側のガイドに絡みつくのを防止するために、筒状のカバーを釣り竿の穂先の先端側に被せるようにした技術が知られている（例えば、特許文献２参照）。
【０００６】
【特許文献１】
実開５−６３２７０号公報  （第７頁、第１図）
【特許文献２】
特開２００２−２２３６７１号公報  （第２頁、第１図および第３図）
【０００７】
【発明が解決しょうとする課題】
しかし、上記した従来の前者のものは、竿の収縮状態における移動ガイドが振動で元竿側の先端開口に当る衝撃をキャップで吸収させて、該元竿の先端開口の損傷を防止したものに過ぎず、仮に、穂先を収縮させず運搬した場合には、この穂先を傷めるおそれがある。
【０００８】
また、上記した従来の後者のものは、使用時における穂先の振れにより道糸が穂先に絡みつくのを筒状カバーで防止したものであり、カバーを穂先に単に被せているだけの構造であるから、運搬時などの不使用時に穂先に上記カバーを被せてたとしても、穂先をカバーに保持する手段がない以上、カバーが外れやすいし、とくに、振動を受けて穂先がカバー内でがたついて穂先を傷めるおそれがある。
【０００９】
この発明は、運搬時などにおける穂先の損傷を有効に防止できる釣り竿の穂先用保護具を提供することを課題とする。
【００１０】
【課題を解決するための手段】
請求項１に記載の発明は、「釣り竿Ｆの穂先Ｍの先端側を被うための筒状の保護カバー１と、
前記保護カバー１の一端開口１ａに取り外し可能に圧入されて、該保護カバー１内の穂先Ｍを保持させる弾性キャップ２とから構成され、
前記弾性キャップ２には、圧入方向の先端面２ｄから後端面２ｅまで貫通して前記穂先Ｍに対して弾性的に嵌合する保持孔２１が形成され、
前記弾性キャップ２の外周面２ｆには、穂先Ｍの保持孔２１への嵌入を許容するすり割り部２２が前記先端面２ｄから後端面２ｅまで縦断して形成されていることを特徴とする」ものである。
【００１１】
この釣り竿の穂先用保護具Ａによれば、不使用時などに穂先Ｍの先端側を前記保護カバー１で被い、さらに、穂先Ｍにおける保護カバー１の一端開口１ａから少し出ている部位を前記すり割り部２２を通して押し込めば、穂先Ｍが弾性キャップ２における保持孔２１に嵌入されて弾性的に保持され、この状態で弾性キャップ２を保護カバー１の一端開口１ａに圧入させれば、穂先Ｍの先端側が保護カバー１に保持される。
【００１２】
すなわち、穂先Ｍの不使用時、例えばメーカーからの出荷時などには、穂先Ｍの先端側を保護カバー２で被っておけば、前記穂先Ｍが防護される。
【００１３】
とくに、穂先Ｍを単に保護カバー１で被っただけとは違って、この保護カバー１の一端開口１ａに圧入された弾性キャップ２に保持させているので、穂先Ｍの運搬時の振動などがあっても、穂先Ｍが抜け出るおそれもないうえ、該キャップ２の衝撃吸収作用も発揮されて穂先Ｍが保護キャップ１内で異常にがたつくおそれもなく、従って、穂先Ｍの損傷が確実に防止される。
【００１４】
【発明の実施の形態】
以下、この発明の実施形態を図面に基づいて説明する。
【００１５】
図１および図２は、それぞれこの発明の一実施形態にかかる釣り竿の穂先用保護具を示す斜視図および使用時の断面図である。なお、この発明の釣り竿の穂先用保護具Ａが適用される穂先Ｍは、複数の道糸用ガイドＧが設けられており、使用時には、その基端部Ｍａをガイド用釣り竿Ｆにおける元竿Ｎの先端側に差し込まれるようになっている。
【００１６】
図１および図２において、この釣り竿の穂先用保護具Ａは、ルアー竿などの非振り出し式の釣り竿Ｆの穂先Ｍを被うための円筒形の保護カバー１と、保護カバー１に挿入された穂先Ｍを該筒体１に保持させる弾性キャップ２とから構成されている。
【００１７】
前記保護カバー１は、例えばアクリルなどの透光性合成樹脂からなる円形チューブから成形されたものであり、その一端開口１ａからガイド式の釣り竿のＦにおける穂先Ｍを先端側を被うことができる長さであり、また、その内径は、穂先Ｍに設けられている複数のガイドＧが擦られない程度の余裕をもった寸法に設定されている。
【００１８】
なお、この筒状カバー１は、非透光性であってもよいが、透光性であると、穂先Ｍの先端側を被った状況を確認しやすい。また、保護カバー１は、円筒形に限定されるものではなく、例えば角筒形などの非円形筒形などであってもよい。
【００１９】
前記弾性キャップ２は、保護カバー１に挿入された穂先Ｍの先端側を該保護カバー１内に保持させるものであり、前記保護カバー１の一端開口１ａに取り外し可能に圧入されるようになっている。
【００２０】
この弾性キャップ２は、保護カバー１の一端開口１ａに圧入される柱状圧入部２ａと、この柱状部２ａの先端に一体形成された先細りテーパ面部２ｂと、柱状圧入部２ａの後端に一体形成された圧入ストッパ用の大径部２ｃとから構成されている。
【００２１】
弾性キャップ２の構成材として、この例ではゴムを使用してあるが、これに限られるものではなく、例えば若干硬質のポリエチレンなどの合成樹脂などで構成してもよい。
【００２２】
前記弾性キャップ２には、圧入方向の先端面２ｄから後端面２ｅまで貫通して前記穂先Ｍに嵌合する円形の保持孔２１が形成されている。この保持孔２１の径は、前記保護カバー１を図２に示すように被せた際に、穂先Ｍにおける前記一端開口１ａ略対応する部位に対して良好に嵌合する寸法に設定されている。
【００２３】
また、弾性キャップ２の外周面２ｆには、前記穂先Ｍが側方から保持孔２１内に嵌入されるのを許容するすり割り部２２が前記先端面２ｄから後端面２ｅまで縦断して形成されている。
【００２４】
なお、この弾性キャップ２の後端側の大径部２ｃには、保護カバー１に繋ぎ止めるためにストラップ用帯体３の一端部３ａが連成して接続されており、このストラップ帯体３の他端３ｂには、前記保護カバー１に連結するための一つの手段として、保護カバー１に弾性的に外嵌可能な止めリング部３１が一体形成されている。
【００２５】
つぎに、上記構成の釣り竿の穂先用保護具Ａの使用手順を説明する。
【００２６】
予め、弾性キャップ２に連成されているストラップ用帯体３における止めリング部３１を図１に示すように、保護カバー１の一端側に嵌めておく。これにより、弾性キャップ２が保護カバー１に繋がれて該弾性キャップ２を紛失したりするのが防止される。
【００２７】
釣り竿Ｆの不使用時、例えばメーカからの出荷時、あるいは、釣り現場への行き帰り時には、元竿Ｎから穂先Ｍを抜いておくから、この時、穂先Ｍを図２に示すように、前記保護カバー１の一端開口１ａから穂先Ｍを挿入して該カバー１で穂先Ｍの先端側を被せておく。
【００２８】
保護カバー１で穂先Ｍの先端側が略被われた時に、穂先Ｍにおける保護カバー１の一端開口１ａに近い露出部位を前記弾性キャップ２のすり割り部２２を押し込ませる。具体的には、この弾性キャップ２のすり割り部２２を拡開させるとともに、このすり割り部２２の側方から図３に示すように、穂先Ｍと弾性キャップ２との相対押し込み操作で、該穂先Ｍをすり割り部２２を通して弾性キャップ２における保持孔２１に嵌入させる。
【００２９】
この状態で弾性キャップ２の後端面２ｅを押圧操作してその先端から保護カバー２の一端開口１ａに図２に示すように圧入すれば、弾性キャップ２における圧入部２ａが弾性的に縮径変形して保護カバー２の開口１ａ内壁に装着されるとともに、保持孔２１に嵌入された穂先Ｍも弾性キャップ２を介して保護カバー１内に保持される。
【００３０】
弾性キャップ２の先端側には、先細りテーパ面部２ｂが形成されているので、このテーパ面部２ｂのガイド作用で弾性キャップ２の圧入が円滑に行える。
【００３１】
なお、前記弾性キャップ２の良好な圧入状態が得られるように、該弾性キャップ２の外周面２ｆを先端に向かうにつれて径小化するテーパ面にしてもよい。
【００３２】
ここで、穂先Ｍの不使用時、例えばメーカーから穂先Ｍを出荷する場合などには、上記したように穂先Ｍの先端側に保護カバー１を被せておけば、運送作業などにより前記穂先Ｍが傷ついたり、折れたりするのを防ぐことができる。
【００３３】
とくに、穂先Ｍを単に保護カバー１で被っただけとは違って、この保護カバー１の一端開口１ａに圧入された弾性キャップ２に保持させるので、運搬時の振動などがあっても、穂先Ｍが抜け出るおそれもないうえ、該弾性キャップ２の衝撃吸収作用も発揮されて穂先Ｍが保護カバー１内で異常にがたつくおそれもなくなり、従って、穂先Ｍの損傷を確実に防止できる。
【００３４】
穂先Ｍの基端側は比較的太く強度があるので、保護カバー１は、穂先Ｍの先端から真中を超える程度の長さであれば、穂先Ｍを十分保護できる。
【００３５】
なお、穂先Ｍは先端側に至るにつれて径が小さくなっているが、前記キャップ２の保護カバー１への圧入量（圧入長さ）が大きくなるにつれて前記保持孔２１が径小化変形するように構成しておけば、前記穂先Ｍの径の違う部位にかかわらず、保持孔２１内に嵌入された穂先Ｍを有効に弾性的に保持させることができる。
【００３６】
【発明の効果】
以上のように、この発明は、釣り竿の穂先を被う保護カバーに、穂先が嵌入される嵌入孔およびすり割り部を有する弾性キャップを圧入させるようにしたから、運送時などに穂先を保護できるうえ、保護カバーがはずれたり、穂先ががたついて損傷したりするのも確実に防止できる。
【図面の簡単な説明】
【図１】この発明の一実施形態にかかる釣り竿の穂先用保護具を示す斜視図
【図２】同じく釣り竿の穂先用保護具を使用状態で示す断面図
【図３】弾性キャップの保持孔に穂先を通す操作の説明図
【符号の説明】
１・・・・・筒状保護カバー
１ａ・・・・筒状保護カバーの一端開口
２・・・・・弾性キャップ
２ｄ・・・・弾性キャップの先端面
２ｅ・・・・弾性キャップの後端面
２ｆ・・・・弾性キャップの外周面
２１・・・・保持孔
２２・・・・すり割り部
Ｆ・・・・・釣り竿
Ｍ・・・・・穂先
【図１】
2004329027.tif 000003
【図２】
2004329027.tif 000004
【図３】
2004329027.tif 000005